(57)【特許請求の範囲】
【請求項１】
一側に配設したヒンジ機構によってクリア部材保持枠を開閉可能に設け、該クリア部材保持枠の開口部を塞ぐようにして取り付けた板状のクリア部材により遊技部の前面を覆った遊技機において、
上記クリア部材保持枠のクリア部材保持枠本体を合成樹脂により成形し、このクリア部材保持枠本体の前面部分に、前方に膨出した膨出部を有する装飾部材を少なくともクリア部材保持枠の自由端側に設け、該装飾部材はクリア部材保持枠本体の開口部の縁に配設され、前記開口部側の側面に指掛け凹部を形成したことを特徴とする遊技機。
【発明の詳細な説明】
【０００１】
【産業上の利用分野】
本発明は、前面にクリア部材保持枠を開閉可能に設け、該クリア部材保持枠のクリア部材により遊技部の前面を覆ったパチンコ遊技機やスロット遊技機（パチスロ遊技機）などの遊技機に関するものである。
【０００２】
【従来の技術】
従来、パチンコ機のクリア部材たるガラスを保持して前面側に開閉可能に備えられるクリア部材保持枠（所謂ガラス保持枠）は金属製であり、このガラス保持枠の中央開口部裏面に、金属板を断面略Ｗ字状に屈曲成形した支持縁枠を設け、この支持縁枠に二枚の板ガラスを嵌め込んで支持する構造であった。そして、断面略Ｗ字状の支持縁枠は上方から板ガラスを容易に抜き差しできるように高い嵌合精度に加工されていない。したがって、支持縁枠と板ガラスとの間にはガタツキがあって、指先が掛かる程度の凹部状の隙間が生じる。このため、ガラス保持枠を開放する場合には、ガラス保持枠の中央開口内縁と板ガラスとの間に生じる隙間に指を掛けて開動作することができ、便利な面もあった。
【０００３】
一方、最近では、パチンコ機においてそのガラス保持枠であるクリア部材保持枠を合成樹脂により成型し、これを内枠たる前面枠に開閉可能に取り付けることが考えられている。このように合成樹脂によりクリア部材保持枠を形成することは、パチンコ機の前面側のデザインを金属製の場合に比べて任意に設計できるという長所を有し、また、合成樹脂製であればリサイクルが容易であり天然資源の保護にも寄与する。さらに、クリア部材保持枠を合成樹脂製にすると、ランプ表示器などの装飾装置を、金属製ガラス保持枠に比較して、デザインを統一した状態で設け易く、また、装飾装置の数も従来よりも増加することが容易である。
【０００４】
【発明が解決しようとする課題】
しかしながら、合成樹脂製のクリア部材保持枠においては、加工精度が高いので、中央開口の内縁と板ガラスとの間に隙間が殆どできない。この隙間ができないことは、防犯上及び美観上好ましいが、反面、クリア部材保持枠の開放操作の操作性が低下してしまうという新たな問題が生じた。即ち、遊技中に遊技部内で球止まりなどのトラブルが発生した場合にはクリア部材保持枠を開放してトラブルを迅速に解決することが遊技者の不快感を低減させるために必須であるが、上記した隙間がないと係員がクリア部材保持枠を開こうとしても指を掛ける部分がないので、迅速に開放することができない。特に、係員は右手に鍵を持って左手でクリア部材保持枠を開放操作しなければならないので、左手の指先が掛かる部分がないことは開放操作が行ないにくい。
【０００５】
また、閉店後などに行なう日常の点検、調整作業においては、多数のパチンコ機のクリア部材保持枠を次々に開放しなければならないので、指先を掛ける部分がないと作業能率が低下する。
【０００６】
そして、開放操作用の把持部を単にクリア部材保持枠に設けたのでは、開放操作は容易になるが、その一方、クリア部材保持枠が常に遊技者の視界に入って目立つ部品なので、実際には体裁を損ねて商品価値が低下してしまうので、実用に供し得ない。
【０００７】
また、クリア保持枠を樹脂化すると、遊技機の全幅を覆う大きさに大型化されるので、軽量な合成樹脂製としても開放操作時には大きな力が必要になってきている。
【０００８】
そこで、本発明の目的は、上記不都合を解消し、クリア部材保持枠の樹脂化を図りつつ、体裁を損ねることなく開放操作が容易なクリア部材保持枠を備えた遊技機を提供しようとするものである。
【０００９】
【課題を解決するための手段】
本発明は上記目的を達成するために提案されたもので、請求項１に記載のものは、一側に配設したヒンジ機構によってクリア部材保持枠を開閉可能に設け、該クリア部材保持枠の開口部を塞ぐようにして取り付けた板状のクリア部材により遊技部の前面を覆った遊技機において、
上記クリア部材保持枠のクリア部材保持枠本体を合成樹脂により成形し、このクリア部材保持枠本体の前面部分に、前方に膨出した膨出部を有する装飾部材を少なくともクリア部材保持枠の自由端側に設け、該装飾部材はクリア部材保持枠本体の開口部の縁に配設され、前記開口部側の側面に指掛け凹部を形成したことを特徴とする遊技機である。
【００１０】
【作用】
クリア部材保持枠のクリア部材保持枠本体を合成樹脂により成形するので、金属製に比べてデザインの自由度が拡大され、しかもクリア部材保持枠本体の前面部分に、前方に膨出した膨出部を有する装飾部材を設けるので、この装飾部材によって装飾効果を高めることができる。
そして、装飾部材がクリア部材保持枠本体の開口部の縁に配設され、該開口部側の側面に指掛け凹部を形成したので、遊技中は遊技者の視界に入っているクリア部材保持枠本体の開口部の縁を装飾部材によって装飾することができるばかりでなく、クリア部材保持枠を開く際に、係員が自然な姿勢で指先を指掛け凹部に掛けることができる。したがって、クリア部材保持枠本体とクリア部材との間に隙間がなくても、クリア部材保持枠の開放操作の操作性を高めることができる。このため、遊技中のトラブル解消のためにクリア部材保持枠を開く際に、迅速に対処することができる。また、日常の点検・調整作業の場合にも、多数の遊技機のクリア部材保持枠を次々と迅速に開くことができるので、作業能率も向上させることができる。
しかも、指掛け凹部は、クリア部材保持枠本体の開口部側の側面に形成してあるので、遊技者側から目立つことがない。したがって、装飾部材に形成した指掛け凹部が体裁を損ねることはない。
【００１１】
【実施例】
以下、本発明の実施例を図面に基づいて説明する。
図１は代表的な遊技機であるパチンコ遊技機１のクリア部材保持枠２を閉じた状態における斜視図、図２はクリア部材保持枠２を開放した状態におけるパチンコ遊技機１の斜視図、図３はクリア部材保持枠２の斜視図、図４はクリア部材保持枠２の分解斜視図である。
【００１２】
パチンコ遊技機１は、前後が開放した矩形の外枠（機枠）３と、該外枠３の一側（本実施例では図中左側）に上下のヒンジ機構４，４により外枠３の前面開口部分に対して開閉可能に軸着した額縁状の内枠５と、該内枠５の一側にヒンジ機構６，６により開閉可能に軸着して内枠５の上半を全幅にわたって被うようにして設けたクリア部材保持枠２と、該クリア部材保持枠２の下方一側にヒンジ機構により開閉可能に軸着して内枠５の下半を全幅にわたって被うようにして設けた開閉パネル７などからなり、内枠５の窓部から後方に一体成形した遊技盤収納枠内に遊技盤８を装着してクリア部材保持枠２を閉じると、遊技盤８の表面に形成した遊技部９がパチンコ遊技機１の前面に臨んで、この遊技部９を遊技者がクリア部材保持枠２のクリア部材である板ガラス１０を通して見られるように構成されている。
【００１３】
そして、内枠５は、施錠装置の一部を構成するフックによって外枠３の他側の係止部材に自由端側が施錠され、また、クリア部材保持枠２は、施錠装置を構成する他のフック１１，１１によって自由端側が内枠５の他側に施錠され、これらは内枠５の上部一側に設けたシリンダ錠１２の鍵穴に差し込んだ鍵を一方に回動すると内枠５が、他方に回動するとクリア部材保持枠２が解錠する構成となっている。
【００１４】
また、開閉パネル７の表面に上皿１３を、開閉パネル７の下側の内枠５の前面部分には下皿１４と打球発射装置の発射操作ハンドル１５をそれぞれ設けてある。
【００１５】
クリア部材保持枠２は、図３及び図４に示すように、中央部分を大きく開口した合成樹脂製のクリア部材保持枠本体１６としてのロ字状ガラス保持枠本体と、該クリア部材保持枠本体１６の裏面側に固定された補助金属板１７と、クリア部材保持枠本体１６の開口部を塞ぐようにして取り付けた板状のクリア部材である板ガラス１０とが主要な構成部材である。そして、本実施例ではクリア部材保持枠２の一部を構成する装飾部材として、ガラス保持枠本体１６の上部中央に配設したパイロットランプ用のレンズカバー１８、及びクリア部材保持枠本体１６の開口部の内側縁に内側から嵌め込まれた略Ｕ字状のレンズ部材１９、該レンズ部材１９の一部を前面から覆うスピーカ用装飾体２０，２１などが付加されている。そして、クリア部材保持枠２の軸着側に固定する補助金属板１７の上部には、上側のヒンジ機構６の主要部を構成する支軸６ａを突設し、下部には、下側のヒンジ機構６の主要部を構成する軸孔６ｂを開設し、支軸６ａは内枠７側に設けた軸孔内に回動可能に嵌合し、軸孔６ｂは開閉パネル７の軸着端近傍に突設した支軸に回動可能に嵌合する。
なお、クリア部材保持枠２の開口部の形状は、矩形に限定されるものではなく、例えば円形や楕円形でもよい。また、クリア部材は透明プラスチック板でもよい。
【００１６】
ガラス保持枠本体１６は、本実施例では図４に示すように、合成樹脂から成る左右２つのコ字状分割片１６ａ，１６ｂを端部の連結部２２ａ，２２ｂによって連結し、この連結により全体がロ字状に組み立てられる。このガラス保持枠本体１６の両縁部は裏面側に折り返した様に成形され、両折り返し部と前面部とによって裏面側に開口した凹室部２３を形成し、この凹室部２３内に装飾装置の発光源や配線等の電気的部材を収納できるように構成されている。なお、折り返し部は、単に凹室部２３を形成するだけではなく、前面部と直交する方向に壁状に形成されているので、ガラス保持枠本体自体の強度を高める補強部としても機能している。そして、凹室部２３は、ガラス保持枠本体１６の裏面に取り付ける補助金属板１７によりカバーされる。したがって、補助金属板１７を取り付けた後は、凹室部２３内に収納した配線等の電気的部材は、補助金属板１７により覆い隠されてしまい、クリア部材保持枠２を開放した状態でも体裁を損ねることはない。
【００１７】
本実施例におけるクリア部材保持枠２は、上部両隅角部に切欠部２４ａ，２４ｂを形成し、自由端側の切欠部２４ｂによって内枠５の閉止状態におけるシリンダ錠１２の肉厚な取付部分との干渉を回避し、軸着基端側の切欠部２４ａによってヒンジ機構４との干渉を回避する。この様に、シリンダ錠１２を内枠５の上部一側に配設すると、パチンコ遊技機１の前に遊技者が座っていたとしても、周囲からはシリンダ錠１２が良く見えるので、即ち店員が監視し易い位置にあるので、シリンダ錠１２に対する不正行為を有効に防止する効果がある。
【００１８】
また、クリア部材保持枠２の軸着基端側上部には、賞球ランプ２５と完了ランプ２６を一体化したランプ表示器を、上部中央部分にはパイロットランプをそれぞれ設けるので、ガラス保持枠本体の左上部に開口部を開設し、該開口部内に裏側からレンズを嵌合して取り付ける。なお、賞球ランプ２５と完了ランプ２６の発光源は外枠３に取り付けるので、内枠５の対応部分に光透過窓（図示せず）を開設してある。
【００１９】
クリア部材保持枠２の開口部の内縁下部および左右には、全体として略Ｕ字状に装飾装置である装飾ランプ表示器のレンズ部材１９を配置し、左右のレンズ部材１９の途中にはスピーカ２７，２７を設け、下部のレンズ部材１９にはメッセージ表示部２８を設ける。
【００２０】
このメッセージ表示部２８は、例えば“．ラッキー  ．交換”等を表示した表示札２９をホルダー部材３０の前面に横から出し入れ可能に収納してメッセージ表示できるようにしたものである。
【００２１】
また、レンズ部材１９の裏側には、発光源用の電気的部材として白熱ランプや蛍光灯を設けるが、本実施例では配線コード３１によって複数の蛍光灯３２を一連に接続し、これをレンズ部材１９の裏側に取り付ける。具体的には、図５に示すように、レンズ部材１９の裏面に取付ベース３３をビス止めし、この取付ベース３３に開設した取付孔内に、保持具３４の係止脚部３５を嵌合し、保持具３４に一体成型した一部切欠リング状の保持腕３６内に蛍光灯３２を嵌合して保持する。そして、これら蛍光灯３２の配線コード３１を止着するために、図６に示すように、レンズ部材１９の内部に後方に鈎形或はコ字状の配線止着部３７を複数箇所一体成型し、これら配線止着部３７により蛍光灯３２の配線コード３１をバインド処理する。
【００２２】
この様にして、レンズ部材１９の裏側に蛍光灯３２を設けて、これらの蛍光灯３２を、「大当り」が発生したときや或は発射操作ハンドル１５を操作したときなど予め設定した状態になったときに点灯すると、蛍光灯３２の光によってレンズ部材１９が輝くので、遊技者に視覚を通して所定の状態を認識せしめることができると共に、視覚を通じて装飾効果を高めることができる。
【００２３】
本実施例では視覚を通して遊技の興趣を高めるためにクリア部材保持枠２の開口部の内縁下部および左右に、略Ｕ字状に装飾ランプ表示器のレンズ部材１９を配置して装飾効果を高めたが、視覚だけではなく聴覚を通じても遊技の興趣を高めるために、上記レンズ部材１９の左右にスピーカ２７，２７を設け、両スピーカ２７，２７から「大当り」の発生に合わせるなど遊技状態の変化に応じて予め記憶させた効果音を発生させるように構成してある。
【００２４】
クリア部材保持枠２の一部を構成するレンズ部材１９の左右にスピーカ２７をそれぞれ取り付けるには、図４及び図６などに示すように、レンズ部材１９の前面右側（クリア部材保持枠２の自由端側）に第１装飾体２０を、前面左側（クリア部材保持枠２の軸着側）に第２装飾体２１をそれぞれ取り付け、各装飾部材２０，２１に一体形成した取付部４０を使用して、レンズ部材１９を挟むようにしてスピーカ２７をそれぞれレンズ部材１９の裏側に取り付ける。
【００２５】
第１装飾体２０は、合成樹脂によって一体成型した部材であって、図６及び図７に示すように、前方に蒲鉾状に膨出した膨出部４１に小孔４２…を多数開設し、この膨出部４１の一側（取り付けた状態でクリア部材保持枠２の軸着側に向いた側面）に指掛け凹部４３を形成し、他側には係止鍔部４４を形成し、裏面には柱状の取付部４０を後方に向けて突設してある。
【００２６】
なお、指掛け凹部４３は、指先が引っ掛かる大きさと深さを有していればどのような形態でもよいが、クリア部材保持枠２のデザインに融合した形状にすることが望ましい。また、この様な構成から成る第１装飾体２０を取り付けるレンズ部材１９には、第１装飾体２０の取付部４０を貫通させる貫通孔（スリーブ）４５を所定の位置に形成してある。
【００２７】
レンズ部材１９の裏側にスピーカ２７を取り付けるには、先ず、第１装飾体２０の係止鍔部４４をレンズ部材１９に形成してある空部４６内に挿入して該係止鍔部４４をガラス保持枠本体１６に裏面から係合し、次にレンズ部材１９の前方から被せるようにしながら第１装飾体２０を押し付けて取付部４０を上記貫通孔４５内に挿入する。そして、第１装飾体２０をレンズ部材１９側に十分に押し付けて取付部４０の先端をレンズ部材１９のスリーブの端部近傍まで挿入し、レンズ部材１９の後方からスピーカ２７を臨ませ、スピーカ２７のフレームに開設した取付孔内にビス４７を挿入して該ビス４７の先端を第１装飾体２０の取付部４０先端の取付ねじ孔内にねじ込む。ビス４７を十分にねじ込むと、レンズ部材１９の裏側にスピーカ２７が固定されると共に、レンズ部材１９の前面に第１装飾体２０が固定され、この第１装飾体２０によって電気的部材であるスピーカ２７を覆って装飾することができる。なお、スピーカ２７の配線コード４８は、レンズ部材１９の裏面に一体成型した配線止着部３７により蛍光灯３２の配線コード３１と共に係止して配線処理する。
【００２８】
この様にして、別途成型した第１装飾体２０をレンズ部材１９に取り付けると、クリア部材保持枠本体１６，レンズ部材１９，第１装飾体２０の色彩を異ならせることもできるので、クリア部材保持枠２の装飾効果を高めることができるばかりでなく、指掛け凹部４３を膨出部４１の一側面に形成したので、遊技者側からは指掛け凹部４３が見難くなるので、指掛け凹部４３が体裁を損ねることはない。また、第１装飾体２０は、クリア部材保持枠２を装飾するだけではなく、指掛け凹部４３を形成してあるので、クリア部材保持枠２の開放操作の操作性を高めることができる。
【００２９】
即ち、クリア部材保持枠２を開放する場合に、係員が右手に持った鍵をシリンダ錠１２に差し込んで回動することによりクリア部材保持枠２の施錠装置を解錠し、左手の指を第１装飾体２０の指掛け凹部４３に掛けてクリア部材保持枠２を手前に回動させることにより容易に開放操作を行なうことができる。特に、本実施例ではシリンダ錠１２をクリア部材保持枠２の自由端側上部に配設してあるので、このシリンダ錠１２に右手で鍵を差し込んで操作しながら左手をシリンダ錠１２の下方に位置する第１装飾体２０の指掛け凹部４３に掛けるだけなので、左手を反対側に伸ばす必要もなく、操作が容易である。また、第１装飾体２０は、クリア部材保持枠２の自由端側に配設してあるので、開放操作する際に僅かな力を加えるだけで開放することができ、クリア部材保持枠２が大型化して重くなっても容易に開放操作できる。
【００３０】
一方、第２装飾体２１は、第１装飾体２０と左右対象の構成であり、レンズ部材１９への取り付け、並びにスピーカ２７の取り付けも同様である。なお、第２装飾体２１の膨出部の一側（取付状態でクリア部材保持枠２の自由端側の面）には、指掛け凹部４３を形成しなくてもよいが、左右のデザインのバランスを採る上にも形成することが望ましい。
【００３１】
また、上記第１，第２装飾体２０，２１には、指掛け凹部４３とは反対側の側面に通気口５０を開設し、該通気口５０の内側に、板状の異物遮蔽部５１を装飾体２０，２１と一体成型により形成し、該異物遮蔽部５１を所定の間隔を空けて上記通気口５０に臨ませることにより通気流路５２を屈曲した状態で形成してある。この様にして、第１，第２装飾体２０，２１に通気口５０を開設すると共に異物遮蔽部５１を一体成型して通気流路５２を形成すると、レンズ部材１９の裏側の凹室部２３と外部とが上記通気流路５２を介して連通することになる。即ち、上記通気口５０から第１，第２装飾体２０，２１の裏側の空間がレンズ部材１９の小孔や他の隙間を介してクリア部材保持枠２の裏側の凹室部２３と連通する。
【００３２】
この様にしてレンズ部材１９の左右の高さの途中に設けたスピーカ２７用の第１，第２装飾体２０，２１に通気口５０を開設して通気流路５２を形成すると、蛍光灯３２の発熱により温められた暖気が上記通気流路５２を介して外部に排出されたり、或は冷たい冷気が上記通気流路５２を介してレンズ部材１９の裏側の凹室部２３内に自然流入する。したがって、レンズ部材１９の裏側の温度が加熱されることを防止することができる。このため、前面部分を装飾体２０，２１によって覆っても、レンズ部材１９の裏側に設けたスピーカ２７などの部品が加熱することを有効に防止することができる。
【００３３】
なお、上記した実施例においては、レンズ部材１９の前面に装飾体２０，２１を取り付けたが、本発明における装飾部材は、レンズ部材１９の前面に取り付けるものに限定されるものではなく、クリア部材保持枠２の前面に設けて装飾効果を高め、この装飾部材の一側に指掛け凹部４３を形成したものであればどのような構成でも良い。例えば、クリア部材保持枠本体１６の前面に直接取り付けてもよいし、クリア部材保持枠本体１６の前面に一体成型により形成してもよいし、或は別個成形してクリア部材保持枠本体１６の前面に取り付ける構成でもよい。
【００３４】
また、上記した実施例はパチンコ遊技機１について説明したが、本発明はこれに限定されるものではなく、例えばパチスロ遊技機、アレンジボール遊技機、雀球遊技機など、遊技を直接行なう遊技部が前面に臨む遊技機であればどのような遊技機でもよい。
【００３５】
【発明の効果】
以上説明したように本発明によれば、クリア部材保持枠のクリア部材保持枠本体を合成樹脂で成形できるので、デザインの自由度の拡大やリサイクルの容易化など樹脂化の利点をそのままに残し、しかもクリア部材保持枠本体の前面に設けた装飾部材によって更に装飾効果を高めることができる。
【００３６】
そして、装飾部材をクリア部材保持枠本体の開口部の縁に配設し、該開口部側の側面に指掛け凹部を形成したので、遊技中は遊技者の視界に入っているクリア部材保持枠本体の開口部の縁を装飾部材によって装飾することができる。また、クリア部材保持枠を開く際には、手を伸ばさなくても係員が自然な姿勢で指先を指掛け凹部に掛けることができる。したがって、クリア部材保持枠の開放操作が一層容易になる。このため、例えば遊技中のトラブル解消のためにクリア部材保持枠を開く際に、迅速に対処することができる。また、日常の点検・調整作業の場合にも、多数の遊技機のクリア部材保持枠を次々と迅速に開くことができるので、作業能率も向上させることができる。
【００３７】
しかも、指掛け凹部は、クリア部材保持枠本体の開口部側の側面に形成してあるので、遊技者側から目立つことがない。したがって、装飾部材に形成した指掛け凹部が体裁を損ねることはない。
【図面の簡単な説明】
【図１】パチンコ遊技機の斜視図である。
【図２】クリア部材保持枠を開いた状態におけるパチンコ遊技機の斜視図である。
【図３】クリア部材保持枠の斜視図である。
【図４】クリア部材保持枠の分解斜視図である。
【図５】蛍光灯を設けた部分のクリア部材保持枠の一部欠截断面図である。
【図６】スピーカを取り付けた部分のクリア部材保持枠の一部欠截断面図である。
【図７】側面に指掛け凹部を形成したスピーカ用装飾体の斜視図である。
【符号の説明】
１  パチンコ遊技機
２  クリア部材保持枠
３  外枠
４  内枠用ヒンジ機構
５  内枠
６  クリア部材保持枠用のヒンジ機構
８  遊技盤
９  遊技部
１０  クリア部材としての板ガラス
１６  クリア部材保持枠本体（ガラス保持枠本体）
１７  補助金属板
１８  パイロットランプ用のレンズカバー
１９  レンズ部材
２０  指掛け凹部を形成した装飾部材としてのスピーカ用装飾体
２１  装飾部材としてのスピーカ用装飾体
２２  分割片の連結部
２３  凹室部
２４  切欠部
２５  賞球ランプ
２６  完了ランプ
２７  電気的部材としてのスピーカ
３１  配線コード
３２  電気的部材としての蛍光灯
３４  蛍光灯の保持具
３７  配線止着部
４０  取付部
４１  膨出部
４２  小孔
４３  指掛け凹部
４４  係止鍔部
４５  貫通孔（スリーブ）
４６  係止鍔部を係止する空部
４８  配線コード
５０  通気口
５１  異物遮蔽部
５２  通気流路
【図１】
0003620892.tif 000002
【図２】
0003620892.tif 000003
【図３】
0003620892.tif 000004
【図４】
0003620892.tif 000005
【図５】
0003620892.tif 000006
【図６】
0003620892.tif 000007
【図７】
0003620892.tif 000008